Podtech/llm-jp-corpus-v4-ja_patent huggingface dataset:
【手続補正書】
【提出日】平成16年2月24日(2004.2.24)
【手続補正１】
【補正対象書類名】明細書
【補正対象項目名】特許請求の範囲
【補正方法】変更
【補正の内容】
【特許請求の範囲】
【請求項１】
被写体の全身画像が撮影可能なカメラと、撮影した被写体画像を表示するデイスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体と、前記主照明装置からの照明光が照射され、撮影対象の被写体を収容可能な空間をする撮影室を備えた背景部筐体とを備え、
前記本体部筐体の左側板および右側板に開口部を設け、前記開口部のいずれかの奥部に前記プリンタを選択的に配置し、前記プリンタを配置した開口部にはプリントシール出口を設けた扉を設置し、前記プリンタを設置しない開口部にはめくら板を配した扉を設置したことを特徴とする合成画像プリント装置。
【請求項２】
被写体の全身画像が撮影可能なカメラと、撮影した被写体画像を表示するデイスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体と、前記主照明装置からの照明光が照射され、撮影対象の被写体を収容可能な空間をする撮影室を備えた背景部筐体とを備え、
前記本体部筐体の左側板および右側板に開口部を設け、前記開口部の奥部に少なくとも１つの前記プリンタを配置し、前記プリンタを配置した開口部にはプリントシール出口を設けた扉を設置したことを特徴とする合成画像プリント装置。
【請求項３】
被写体の全身画像が撮影可能なカメラと、撮影した被写体画像を表示するデイスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体と、前記主照明装置からの照明光が照射され、撮影対象の被写体を収容可能な空間をする撮影室を備えた背景部筐体とを備え、
前記本体部筐体の左側板および右側板に設けた開口部のいずれかの奥部に前記プリンタを２台設置し、前記制御装置により、印刷待ちの被写体を前記撮影室から退出させて、いずれか一方のプリンタにより合成画像の印刷を行い、次の被写体の合成画像は他方のプリンタで印刷するように制御することを特徴とする合成画像プリント装置。
【請求項４】
被写体の全身画像が撮影可能なカメラと、撮影した被写体画像を表示するデイスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体と、前記主照明装置からの照明光が照射され、撮影対象の被写体を収容可能な空間をする撮影室を備えた背景部筐体とを備え、
前記本体部筐体の左側板および右側板に設けた開口部の奥部に前記プリンタを設置し、前記制御装置により、印刷待ちの被写体を前記撮影室から退出させて、いずれか一方の開口部のプリンタにより合成画像の印刷を行い、次の被写体の合成画像は他方の開口部のプリンタで印刷するように制御することを特徴とする合成画像プリント装置。
【手続補正２】
【補正対象書類名】明細書
【補正対象項目名】０００６
【補正方法】変更
【補正の内容】
【０００６】
【課題を解決するための手段】
前記目的を達成するために、本発明は、被写体の全身画像が撮影可能なカメラと、撮影した被写体画像を表示するデイスプレイ装置と、撮影した被写体画像とユーザが選択した背景画像とを合成する画像処理手段を備えた制御装置と、合成画像を印刷出力するプリンタと、被写体の正面に対して所定の明るさの照明光を照射する主照明装置とが収容される本体部筐体と、前記主照明装置からの照明光が照射され、撮影対象の被写体を収容可能な空間をする撮影室を備えた背景部筐体とを備え、前記本体部筐体の左側板および右側板に開口部を設け、前記開口部のいずれかの奥部に前記プリンタを選択的に配置し、前記プリンタを配置した開口部にはプリントシール出口を設けた扉を設置し、前記プリンタを設置しない開口部にはめくら板を配した扉を設置したことを特徴とする。
また、前記本体部筐体の左側板および右側板に開口部を設け、前記開口部の奥部に少なくとも１つの前記プリンタを配置し、前記プリンタを配置した開口部にはプリントシール出口を設けた扉を設置したことを特徴とする。
また、前記本体部筐体の左側板および右側板に設けた開口部のいずれかの奥部に前記プリンタを２台設置し、前記制御装置により、印刷待ちの被写体を前記撮影室から退出させて、いずれか一方のプリンタにより合成画像の印刷を行い、次の被写体の合成画像は他方のプリンタで印刷するように制御することを特徴とする。
また、前記本体部筐体の左側板および右側板に設けた開口部の奥部に前記プリンタを設置し、前記制御装置により、印刷待ちの被写体を前記撮影室から退出させて、いずれか一方の開口部のプリンタにより合成画像の印刷を行い、次の被写体の合成画像は他方の開口部のプリンタで印刷するように制御することを特徴とする。
【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】
基板上に入射する光を反射し又は遮光する第１のメタル層が形成される液晶パネル用基板において、画素領域では、前記第１のメタル層がマトリックス状に形成されるとともに、前記第１のメタル層に対して各々電気的に接続するトランジスタのソース電極またはドレイン電極を形成する第２のメタル層と、前記第１のメタル層と前記第２のメタル層の間に層間絶縁膜を介して形成される第３のメタル層とを有し、前記画素領域の外側では、前記画素領域と同一工程で形成された前記第１のメタル層と、当該液晶パネルのシール材が形成されるシール部より外側の領域に前記画素領域と同一工程で形成される前記第２のメタル層および前記第３のメタル層が層間絶縁膜を介して設けられ、前記第１乃至第３のメタル層がコンタクトホールにより電気的に接続されていることを特徴とする液晶パネル用基板。
【請求項２】
前記第１のメタル層は、前記第２のメタル層および前記第３のメタル層を介して所定の電位に固定されることを特徴とする請求項１に記載の液晶パネル用基板。
【請求項３】
請求項１または請求項２において、シール材が形成されるシール部より外側の領域には、酸化シリコンとその上に形成される窒化シリコンとからなるパッシベーション膜が形成されることを特徴とする液晶パネル用基板。
【請求項４】
請求項１乃至請求項３のいずれかに記載の液晶パネル用基板と対向基板との間に液晶を挟んで対向配置して構成されることを特徴とする液晶パネル。
【請求項５】
請求４に記載の液晶パネルを表示部として備えてなることを特徴とする電子機器。
【請求項６】
光源と、該光源からの光を変調する請求項５に記載の液晶パネルとを有することを特徴とする投写型表示装置。
【手続補正書】
【提出日】平成16年6月25日(2004.6.25)
【手続補正１】
【補正対象書類名】明細書
【補正対象項目名】特許請求の範囲
【補正方法】変更
【補正の内容】
【特許請求の範囲】
【請求項１】
複数の走査電極と複数の信号電極とが交差配置されて構成され、表示画面を部分的に表示領域とする機能を有する電気光学装置の駆動方法において、
前記表示画面の全体を表示状態とする第１の表示モードと、前記表示画面の一部の領域を表示状態、他の領域を非表示状態とする第２の表示モードとを有し、
前記複数の走査電極は、所定単位数毎に同時選択し、当該所定単位数毎に順次選択するように駆動される共に前記電気光学装置において複数行毎に極性反転駆動が行われ、
前記表示領域の走査電極には、選択期間に選択電圧を印加すると共に非選択期間に非選択電圧を印加し、且つ
非表示領域の走査電極の選択期間には、全ての走査電極への印加電圧を固定すると共に全ての信号電極への印加電圧を前記第１の表示モード時の前記電気光学装置の極性反転駆動周期における同一極性の駆動期間より少なくとも長い所定期間は固定し、
前記第１の表示モード時と前記第２の表示モード時とで前記表示領域の各走査電極における選択期間の長さは変えず、
前記第２の表示モード時におけるオン表示或いはオフ表示の場合の前記信号電極への印加電圧は、前記第１の表示モードにおける全画面オン表示或いは全画面オフ表示の場合に前記信号電極へ印加する電圧と同一に設定し、
前記非表示領域の走査電極の選択期間において前記信号電極に印加する電位は、一画面走査する前記所定期間毎に、全画面表示状態においてオン表示させる場合の印加電位とオフ表示させる場合の印加電位とを交互に切り替えて設定することを特徴とする電気光学装置の駆動方法。
【請求項２】
請求項１において、前記第２の表示モード時における前記表示領域の走査電極の選択期間以外の期間では、前記走査電極と前記信号電極との電圧差の極性はフレーム毎に反転してなることを特徴とする電気光学装置の駆動方法。
【請求項３】
請求項１または２に記載の電気光学装置は、単純マトリクス型液晶表示装置であることを特徴とする電気光学装置の駆動方法。
【請求項４】
請求項１乃至３のいずれか一項に記載の電気光学装置の駆動方法によって駆動されることを特徴とする電気光学装置。
【請求項５】
請求項４に記載の電気光学装置を、表示装置として用いてなることを特徴とする電子機器。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
複数の突起を有する電極と、前記電極と電位差を有して前記電極の放電を補助する放電補助部材と、を有する帯電装置において、
前記突起の間に絶縁部材を有し、前記絶縁部材よりも前記突起の先端が引っ込んでいることを特徴とする帯電装置。
【請求項２】
前記電極の複数の突起の先端の相互間距離を単位ｍｍで表したときの値をＰ、前記電極の突起の先端と前記放電補助部材との離間距離を単位ｍｍで表した値をＤ、前記電極と前記放電補助部材との間の電位差を単位ｋＶで表したときの値をＶ、とすると、
Ｐ≧Ｄ≧Ｖ  の関係を有することを特徴とする請求項１に記載の帯電装置。
【請求項３】
前記放電補助部材は板状で、前記電極と平行に配置されていることを特徴とする請求項１または２に記載の帯電装置。
【請求項４】
前記放電補助部材は接地されており、前記電極にはバイアスが印加されていることを特徴とする請求項１から３のいずれか一項に記載の帯電装置。
【請求項５】
前記突起の先端と前記絶縁部材との距離を単位ｍｍで表した値をｃとすると、
ｃ≧0.8  の関係を有することを特徴とする請求項１から４のいずれか一項に記載の画像形成装置。
【請求項６】
前記帯電装置を有することを特徴とする請求項１から５のいずれか一項に記載の画像形成装置。
【請求項７】
転写材にトナー画像を転写する転写手段と、転写材にトナー画像を定着する定着手段を有し、転写材が前記転写手段を経て前記定着手段へ進入する画像形成装置において、
前記帯電装置が、前記転写手段と前記定着手段の間に配置されていることを特徴とする請求項６に記載の画像形成装置。
【手続補正２】
【補正対象書類名】明細書
【補正対象項目名】００１０
【補正方法】変更
【補正の内容】
【００１０】
【課題を解決するための手段】
上記目的を達成するための、本発明の代表的な構成は、複数の突起を有する電極と、前記電極と電位差を有して前記電極の放電を補助する放電補助部材と、を有する帯電装置において、前記突起の間に絶縁部材を有し、前記絶縁部材よりも前記突起の先端が引っ込んでいることを特徴とする。
【手続補正３】
【補正対象書類名】明細書
【補正対象項目名】００１４
【補正方法】変更
【補正の内容】
【００１４】
まず、針状電極と対向金属板とを用いた針状帯電器の特性について説明する。図２は針状帯電器の特性を示す説明図である。図２に示すように、一般に針状帯電器120は、複数の突起である除電針121ａを有する針状電極121と、針状電極121と放電補助金属板122と、針状電極121及び放電補助金属板122に挟まれて絶縁を行う絶縁スペーサ123と、により構成される。尚、針状電極121は高圧電源124に接続され、放電補助金属板122は接地されている。
【手続補正４】
【補正対象書類名】明細書
【補正対象項目名】００３３
【補正方法】変更
【補正の内容】
【００３３】
【発明の効果】
以上のように、本発明においては、前記突起の間に絶縁部材を有し、前記絶縁部材よりも前記突起の先端が引っ込んでいることを特徴とするため、針状電極先端の除電針をガードしつつ安定した放電を達成することができる。
【手続補正書】
【提出日】平成17年4月25日(2005.4.25)
【手続補正１】
【補正対象書類名】明細書
【補正対象項目名】特許請求の範囲
【補正方法】変更
【補正の内容】
【特許請求の範囲】
【請求項１】
複数の突起を有する電極と、前記電極と電位差を有して前記電極の放電を補助する放電補助部材と、を有し、
前記電極の複数の突起の先端の相互間距離を単位ｍｍで表したときの値をＰ、前記電極の突起の先端と前記放電補助部材との離間距離を単位ｍｍで表した値をＤとすると、
Ｐ≧Ｄの関係を有することを特徴とする帯電装置。
【請求項２】
複数の突起を有する電極と、前記電極と電位差を有して前記電極の放電を補助する放電補助部材と、を有し、
前記電極の複数の突起の先端の相互間距離を単位ｍｍで表したときの値をＰ、前記電極の突起の先端と前記放電補助部材との離間距離を単位ｍｍで表した値をＤ、前記電極と前記放電補助部材との間の電位差を単位ｋＶで表したときの値をＶ、とすると、
Ｐ≧Ｄ≧Ｖ  の関係を有することを特徴とする帯電装置。
【請求項３】
前記放電補助部材は板状で前記電極と平行に配置されていることを特徴とする請求項１または２に記載の帯電装置。
【請求項４】
前記帯電装置を有することを特徴とする請求項１から３のいずれか一項に記載の画像形成装置。
【請求項５】
転写材にトナー画像を転写する転写手段と、転写材にトナー画像を定着する定着手段を有し、転写材が前記転写手段を経て前記定着手段へ進入する画像形成装置において、
前記帯電装置が、前記転写手段と前記定着手段の間に配置されていることを特徴とする請求項４に記載の画像形成装置。
【手続補正２】
【補正対象書類名】明細書
【補正対象項目名】００１７
【補正方法】変更
【補正の内容】
【００１７】
【課題を解決するための手段】
前記目的を達成するための本発明に係る帯電装置は、複数の突起を有する電極と、前記電極と電位差を有して前記電極の放電を補助する放電補助部材と、を有し、前記電極の複数の突起の先端の相互間距離を単位ｍｍで表したときの値をＰ、前記電極の突起の先端と前記放電補助部材との離間距離を単位ｍｍで表した値をＤとすると、Ｐ≧Ｄの関係を有することを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】変更
【補正の内容】
【００２３】
【発明の実施の形態】
図により本発明に係る帯電装置及びこれを備えた画像形成装置の一例としてフルカラー電子写真方式を用いた画像形成装置の一実施形態を具体的に説明する。図１は本発明に係る画像形成装置の概略構成を示す断面説明図、図２は本発明に係る帯電装置の配置構成を示す部分拡大図、図３は本発明に係る帯電装置の第１実施形態の構成を示す斜視説明図、図４は本発明に係る帯電装置の第２実施形態の構成を示す斜視説明図、図５は第１実施形態の帯電装置での放電開始電圧を示す図、図６は第１実施形態の帯電装置において、針状電極の針先端と放電補助部材との離間距離Ｄを４（ｍｍ）に設定したときの複数の突起である針状電極の針先端相互の離間距離Ｐが２（ｍｍ)、３（ｍｍ)、４（ｍｍ)、６（ｍｍ)、８（ｍｍ)、１０（ｍｍ)、１２（ｍｍ)における各印加電圧と放電電流との関係を示す図、図７は記録媒体として用紙が帯電装置を通紙される際の電流量の時間的変化を示す図である。
【手続補正書】
【提出日】平成17年1月28日(2005.1.28)
【手続補正１】
【補正対象書類名】明細書
【補正対象項目名】０００５
【補正方法】変更
【補正の内容】
【０００５】
すなわち、１７インチ以上の大型パネルに、前記の光学補償シートを保護フイルムに用いた偏光板を装着したところ、熱歪みによる光漏れは完全には無くならないことが判明した。
また、光学補償シートは、液晶セルを光学的に補償する機能を有するのみでなく、使用環境の変化による耐久性にも優れている必要がある。
【手続補正２】
【補正対象書類名】明細書
【補正対象項目名】０００６
【補正方法】変更
【補正の内容】
【０００６】
本発明の目的は、大画面の液晶表示装置であっても、有効に光学的に補償することである。
別の本発明の目的は、偏光板の構成要素の数を増加することなく、偏光板に光学補償機能を追加することである。
さらに別の本発明の目的は、表示品位が高い大画面の液晶表示装置を提供することである。
【手続補正３】
【補正対象書類名】明細書
【補正対象項目名】０００７
【補正方法】変更
【補正の内容】
【０００７】
また本発明の目的は、耐久性が優れた光学補償シートを用いて液晶セルを光学的に補償することでもある。
また別の本発明の目的は、光学補償シートを偏光膜の片側に配置し、それを液晶表示装置に用いることで、光漏れなどの問題を生じることなく、表示品位の高い液晶表示装置を提供することである。
【手続補正４】
【補正対象書類名】明細書
【補正対象項目名】００２７
【補正方法】変更
【補正の内容】
【００２７】
［レターデーション上昇剤］
本発明では、溶液の紫外線吸収スペクトルにおいて最大吸収波長（λｍａｘ）が２５０ｎｍより短波長である棒状化合物をレターデーション上昇剤として用いる。
レターデーション上昇剤の機能の観点では、棒状化合物は、少なくとも一つの芳香族環を有することが好ましく、少なくとも二つの芳香族環を有することがさらに好ましい。
棒状化合物は、直線的な分子構造を有することが好ましい。直線的な分子構造とは、熱力学的に最も安定な構造において棒状化合物の分子構造が直線的であることを意味する。熱力学的に最も安定な構造は、結晶構造解析または分子軌道計算によって求めることができる。例えば、分子軌道計算ソフト（例、WinMOPAC2000、富士通（株）製）を用いて分子軌道計算を行い、化合物の生成熱が最も小さくなるような分子の構造を求めることができる。分子構造が直線的であるとは、上記のように計算して求められる熱力学的に最も安定な構造において、分子構造の角度が１４０度以上であることを意味する。
棒状化合物は、液晶性を示すことが好ましい。棒状化合物は、加熱により液晶性を示す（サーモトロピック液晶性を有する）ことがさらに好ましい。液晶相は、ネマティック相またはスメクティック相が好ましい。
【手続補正５】
【補正対象書類名】明細書
【補正対象項目名】０１６２
【補正方法】変更
【補正の内容】
【０１６２】
（液晶表示装置の作製）
ＴＮ型液晶セルを使用した液晶表示装置（AQUOS LC-20C1-S 、シャープ（株）製）に設けられている一対の偏光板を剥がし、代わりに作製した偏光板を、光学補償シートが液晶セル側となるように粘着剤を介して、観察者側およびバックライト側に一枚ずつ貼り付けた。観察者側の偏光板の透過軸とバックライト側の偏光板の透過軸が直交するように配置した。
作製した液晶表示装置について、測定機（EZ-Contrast160D 、ＥＬＤＩＭ社製）を用いて、黒表示（Ｌ１）から白表示（Ｌ８）までの８段階で視野角を測定した。結果を第５表に示す。
【手続補正６】
【補正対象書類名】明細書
【補正対象項目名】０１６３
【補正方法】変更
【補正の内容】
【０１６３】
［比較例３］
ＴＮ型液晶セルを使用した液晶表示装置（AQUOS LC-20C1-S 、シャープ（株）製）に設けられている一対の偏光板を剥がし、代わりに市販の偏光板を、粘着剤を介して、観察者側およびバックライト側に一枚ずつ貼り付けた。観察者側の偏光板の透過軸とバックライト側の偏光板の透過軸が直交するように配置した。
作製した液晶表示装置について、測定機（EZ-Contrast160D 、ＥＬＤＩＭ社製）を用いて、黒表示（Ｌ１）から白表示（Ｌ８）までの８段階で視野角を測定した。結果を第５表に示す。
【手続補正書】
【提出日】平成17年8月1日(2005.8.1)
【手続補正１】
【補正対象書類名】明細書
【補正対象項目名】発明の名称
【補正方法】変更
【補正の内容】
【発明の名称】電気光学装置及びその作製方法
【手続補正２】
【補正対象書類名】明細書
【補正対象項目名】特許請求の範囲
【補正方法】変更
【補正の内容】
【特許請求の範囲】
【請求項１】
基板と、
前記基板上に形成された薄膜トランジスタと、
前記薄膜トランジスタ上に形成された絶縁膜と、
前記絶縁膜上に形成され、前記薄膜トランジスタと電気的に接続された第１の電極と、
前記第１の電極の縁及び前記絶縁膜を覆って形成されたバンクと、
前記第１の電極上に形成された発光層と、
前記バンク及び前記発光層上に形成された第２の電極とを有し、
前記発光層の端部は、前記バンクの側面に接して形成されていることを特徴とする電気光学装置。
【請求項２】
基板と、
前記基板上に形成された薄膜トランジスタと、
前記薄膜トランジスタ上に形成された絶縁膜と、
前記絶縁膜上に形成され、前記薄膜トランジスタと電気的に接続された第１の電極と、
前記第１の電極の縁及び前記絶縁膜を覆って形成されたバンクと、
前記第１の電極上に形成された発光層と、
前記バンク及び前記発光層上に形成された第２の電極とを有し、
前記第２の電極は、前記バンクの側面の一部及び上端部に接して形成されていることを特徴とする電気光学装置。
【請求項３】
基板と、
前記基板上に形成された薄膜トランジスタと、
前記薄膜トランジスタ上に形成された絶縁膜と、
前記絶縁膜上に形成され、前記薄膜トランジスタと電気的に接続された第１の電極と、
前記第１の電極の縁及び前記絶縁膜を覆って形成されたバンクと、
前記第１の電極上に形成された発光層と、
前記バンク及び前記発光層上に形成された第２の電極とを有し、
前記発光層は、前記バンクを乗り越えないことを特徴とする電気光学装置。
【請求項４】
基板と、
前記基板上に形成された薄膜トランジスタと、
前記薄膜トランジスタ上に形成された絶縁膜と、
前記絶縁膜上に形成され、前記薄膜トランジスタと電気的に接続された第１の電極と、
前記第１の電極の縁及び前記絶縁膜を覆って形成された樹脂膜と、
前記第１の電極及び前記樹脂膜上に形成された第２の電極とを有し、
前記第１の電極は、第１の領域及び第２の領域を有し、
前記第１の領域上には前記樹脂膜及び前記第２の電極が形成され、
前記第２の領域上には発光層及び前記第２の電極が形成され、
前記樹脂膜は第２の領域上に開口部を有し、当該開口部の側面は、前記第１の領域及び前記第２の領域の境界上に位置し、
前記開口部の側面に前記発光層の端部が接して形成されていることを特徴とする電気光学装置。
【請求項５】
請求項４において、前記第２の電極は前記樹脂膜上に接して形成されていることを特徴とする電気光学装置。
【請求項６】
請求項１乃至請求項５のいずれか一において、前記第２の電極上にパッシベーション膜が形成されていることを特徴とする電気光学装置。
【請求項７】
請求項６において、前記第２の電極と前記パッシベーション膜の間に第３の電極が形成されていることを特徴とする電気光学装置。
【請求項８】
請求項１乃至７のいずれか一において、前記薄膜トランジスタは、直列に接続された二つ以上のチャネル形成領域を有する島状の半導体膜を含むことを特徴とする電気光学装置。
【請求項９】
請求項１乃至請求項８のいずれか一に記載の電気光学装置を用いたことを特徴とするビデオカメラ、デジタルカメラ、ゴーグル型ディスプレイ、カーナビゲーション、パーソナルコンピュータ、モバイルコンピュータ、携帯電話、電子書籍、記録媒体を備えた画像再生装置またはカーオーディオ。
【請求項１０】
基板上に薄膜トランジスタを形成し、
前記薄膜トランジスタ上に第１の絶縁膜を形成し、
前記第１の絶縁膜上に前記薄膜トランジスタと電気的に接続された第１の電極を形成し、
前記第１の絶縁膜上に、前記第１の電極の縁を覆ってバンクを形成し、
前記バンクに覆われていない前記第１の電極の領域上に、インクジェット法により発光層を形成し、
前記バンク及び前記発光層上に第２の電極を形成し、
前記第２の電極上に第２の絶縁膜を形成することを特徴とする電気光学装置の作製方法。
【請求項１１】
請求項１０において、前記第１の絶縁膜及び前記第２の絶縁膜として、酸化窒化珪素膜又は窒化珪素膜を用いることを特徴とする電気光学装置の作製方法。
【請求項１２】
請求項１０又は請求項１１において、前記発光層及び前記第２の電極は、大気解放しないで連続的に形成することを特徴とする電気光学装置の作製方法。
【請求項１３】
請求項１０又は請求項１１において、前記発光層、前記第２の電極及び前記第２の絶縁膜は、大気解放しないで連続的に形成することを特徴とする電気光学装置の作製方法。
【請求項１４】
基板上に下地膜を形成し、
前記下地膜上に薄膜トランジスタを形成し、
前記薄膜トランジスタ上に第１のパッシベーション膜を形成し、
前記第１のパッシベーション膜上に絶縁膜を形成し、
前記絶縁膜上に第２のパッシベーション膜を形成し、
前記第２のパッシベーション膜上に、前記薄膜トランジスタと電気的に接続された第１の電極を形成し、
前記第２のパッシベーション膜上に、前記第１の電極の縁を覆ってバンクを形成し、
前記バンクに覆われていない前記第１の電極の領域上に、インクジェット法により発光層を形成し、
前記バンク及び前記発光層上に第２の電極を形成し、
前記第２の電極上に第３の電極を形成し、
前記第３の電極上に第３のパッシベーション膜を形成することを特徴とする電気光学装置の作製方法。
【請求項１５】
請求項１４において、前記発光層、前記第２の電極及び前記第３の電極は、大気解放しないで連続的に形成することを特徴とする電気光学装置の作製方法。
【請求項１６】
請求項１４において、前記発光層、前記第２の電極、前記第３の電極及び前記第３のパッシベーション膜は、大気解放しないで連続的に形成することを特徴とする電気光学装置の作製方法。
【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】
（Ａ）下記一般式（Ｚ）で表される基を少なくとも２つ有する繰り返し単位（Ａ１）を含有する、アルカリ可溶性又は酸の作用により分解してアルカリ水溶液への溶解性が向上する樹脂と、
（Ｂ）活性光線又は放射線の作用により酸を発生する化合物とを含有する感光性樹脂組成物。
【化１】
2004004576.tif 000001
式中、Ｒ50〜Ｒ55はそれぞれ独立に、水素原子、フッ素原子または置換基を有しても良いアルキル基を表わす。ただし、Ｒ50〜Ｒ55のうち少なくとも１つはフッ素原子または少なくとも１つの水素原子がフッ素原子で置換されたアルキル基である。Ｒは水素原子または有機基を表わす。
【請求項２】
請求項１に記載の感光性樹脂組成物により膜を形成し、当該膜を露光、現像することを特徴とするパターン形成方法。
【手続補正２】
【補正対象書類名】明細書
【補正対象項目名】００３０
【補正方法】変更
【補正の内容】
【００３０】
式（２ａ）中、Ｒ5は水素原子、ハロゲン原子、シアノ基または置換基を有していても良いアルキル基を表わし、Ｒ50〜Ｒ55はそれぞれ独立に、水素原子、フッ素原子または置換基を有しても良いアルキル基を表わす。ただし、Ｒ50〜Ｒ55のうち少なくとも１つはフッ素原子または少なくとも１つの水素原子がフッ素原子で置換されたアルキル基を表わす。Ｒは独立に、水素原子または有機基を表わす。ただし、全てのＲが水素原子になることはない。ｋは２〜５の整数を表わす。
式（Ｉ）中、Ｒ1は水素原子、ハロゲン原子、シアノ基又は置換基を有していてもよいアルキル基を表す。Ｒ2およびＲ3はそれぞれ独立に、水素原子、ハロゲン原子、シアノ基、ヒドロキシル基又は置換基を有していてもよい、アルキル基、シクロアルキル基、アルコキシ基、アシル基、アシロキシ基、アルケニル基、アリール基若しくはアラルキル基を表す。Ｒ4は、下記一般式（ＩＶ）又は（Ｖ）の基を表す。
【手続補正３】
【補正対象書類名】明細書
【補正対象項目名】００３６
【補正方法】変更
【補正の内容】
【００３６】
式（２ａ’）中、Ｒ5は水素原子、ハロゲン原子、シアノ基または置換基を有していても良いアルキル基を表わし、Ｒ50〜Ｒ55はそれぞれ独立に、水素原子、フッ素原子または置換基を有しても良いアルキル基を表わす。ただし、Ｒ50〜Ｒ55のうち少なくとも１つはフッ素原子または少なくとも１つの水素原子がフッ素原子で置換されたアルキル基を表わす。ｋは２〜５の整数を表わす。
式（Ｉ）中、Ｒ1は水素原子、ハロゲン原子、シアノ基又は置換基を有していてもよいアルキル基を表す。Ｒ2およびＲ3はそれぞれ独立に、水素原子、ハロゲン原子、シアノ基、ヒドロキシル基又は置換基を有していてもよい、アルキル基、シクロアルキル基、アルコキシ基、アシル基、アシロキシ基、アルケニル基、アリール基若しくはアラルキル基を表す。Ｒ4は、下記一般式（ＩＶ）又は（Ｖ）の基を表す。
【手続補正書】
【提出日】平成17年3月30日(2005.3.30)
【手続補正１】
【補正対象書類名】明細書
【補正対象項目名】特許請求の範囲
【補正方法】変更
【補正の内容】
【特許請求の範囲】
【請求項１】
厚みが０．１３μｍ未満、円相当径が１．０μｍ以上で、かつ、双晶面と粒子主表面に囲まれるフリンジ内部（領域Ａ）の沃化銀含量が２枚の双晶面で囲まれるフリンジ内部（領域Ｂ）の沃化銀含量よりも高い沃臭化銀もしくは塩沃臭化銀平板粒子を全粒子の個数の５０％以上含有することを特徴とするハロゲン化銀写真乳剤。
【請求項２】
前記厚みが０．１μｍ未満であることを特徴とする請求項１に記載のハロゲン化銀写真乳剤。
【請求項３】
前記の領域Ａの沃化銀含量が７ｍｏｌ％以上であることを特徴とする請求項１または２に記載のハロゲン化銀写真乳剤。
【請求項４】
支持体上に少なくとも１層の感光性ハロゲン化銀乳剤層を有するハロゲン化銀写真感光材料において、該感光性ハロゲン化銀乳剤層に請求項１〜３のいずれか１項に記載のハロゲン化銀乳剤を含有することを特徴とするハロゲン化銀写真感光材料。
【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
トナーを媒体に定着させるための装置であって、
（ａ）  放射エネルギーを生成するように動作可能な加熱素子と、
（ｂ）  前記放射エネルギーを、前記トナーを前記媒体に定着させるための熱に変換するサーマルスプレッダと、
（ｃ）  前記放射エネルギーの一部を前記サーマルスプレッダに反射するよう配置した反射器と、
（ｄ）  前記サーマルスプレッダと前記媒体との間に配置された定着フィルムと、
を備えることを特徴とする装置。
【請求項２】
前記反射器は、前記放射エネルギーの一部を前記サーマルスプレッダに集めるよう配置した放物面を有することを特徴とする請求項１に記載の装置。
【請求項３】
前記反射器は、放物形状であり、その焦点に前記加熱素子があるよう配置されていることを特徴とする請求項１に記載の装置。
【請求項４】
前記反射器は、放物面トラフであり、前記加熱素子は、線状であって、前記放物面トラフの焦線に沿って配置されていることを特徴とする請求項１に記載の装置。
【請求項５】
トナーを媒体に定着させるための装置であって、
（ａ）  放射エネルギーを生成するように動作可能な加熱素子と、
（ｂ）  前記放射エネルギーを、前記トナーを前記媒体に定着させるための熱に変換するサーマルスプレッダと、
（ｃ）  前記放射エネルギーの一部を前記サーマルスプレッダに反射するよう配置した反射器と、
（ｄ）  定着素子と、
を含み、
前記加熱素子，前記サーマルスプレッダ，及び前記反射器は、前記定着素子内に配置されていること、
を特徴とする装置。
【請求項６】
前記定着素子は、回転可能に支持されており、前記加熱素子，前記サーマルスプレッダ，及び前記反射器は、回転しないよう固定されていることを特徴とする請求項５に記載の装置。
【請求項７】
トナーを媒体に定着させるための定着ユニットであって、
（ａ）  放射エネルギーを生成するように動作可能な線状バルブヒータ素子と、
（ｂ）  その焦線が前記線状バルブヒータ素子に沿うように配置され、前記放射エネルギーを反射して集めるように機能する放物面トラフ型反射器と、
（ｃ）  前記集められた放射エネルギーを吸収してそれを熱に変換するように整列されたサーマルスプレッダと、
（ｄ）  前記線状バルブヒータ素子，前記放物面トラフ型反射器，及び前記サーマルスプレッダの周りに回転可能に支持されると共に、前記サーマルスプレッダに対して摺動可能な接触状態で保持される熱可塑性の定着ローラと、
（ｅ）  前記定着ローラに対して前記媒体を付勢するように支持され、かつ、前記定着ローラを駆動して回転せしめ、これにより、前記トナーを前記媒体に定着するために前記定着ユニットを通して前記媒体を前進させる加圧ローラと、
を備えることを特徴とする定着ユニット。
【請求項８】
加熱素子，サーマルスプレッダ，及び反射器を有する定着ユニットにおいてトナーを媒体に定着する方法であって、
（ａ）  前記加熱素子からエネルギーを放射するステップと、
（ｂ）  前記加熱素子から放射されたエネルギーを前記反射器によって前記サーマルスプレッダに集めるステップと、
（ｃ）  前記サーマルスプレッダにより得られた熱を前記トナー及び前記媒体に導くステップと、
を含み、
定着フィルムが、前記サーマルスプレッダと前記媒体との間に配置され、
前記導くステップが、前記定着フィルムを通して前記熱を導くステップを含むこと、
を特徴とする方法。
【請求項９】
前記反射器が放物面を有し、かつ、前記集めるステップは前記放物面から前記放射エネルギーを反射することにより達成されることを特徴とする請求項８に記載の方法。
【請求項１０】
前記放物面は放物形状であり、かつ、前記放物面の焦点に前記加熱素子が配置されることを特徴とする請求項９に記載の方法。
【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
（Ａ１）ジフェニルヨードニウム塩より高還元電位をもつ、活性光線又は放射線の照射により酸を発生する化合物を含有することを特徴とする電子線、ＥＵＶ又はＸ線用レジスト組成物。
【請求項２】
請求項１に記載のレジスト組成物によりレジスト膜を形成し、当該レジスト膜を露光、現像することを特徴とするパターン形成方法。
【手続補正書】
【提出日】平成17年4月19日(2005.4.19)
【手続補正１】
【補正対象書類名】明細書
【補正対象項目名】００１０
【補正方法】変更
【補正の内容】
【００１０】
一方、上述の従来技術Ｂの光スイッチの構成では、遮蔽板の運動方向が基板と垂直であり、光導波路上方の空間から光導波路にアクセスする構造となっているために光導波路内に駆動機構を配置する必要はなく、この点では光導波路の高密度集積化に適する構成といえる。しかしながら、この構成は駆動力として静電気力を利用するものであることから駆動のために高電圧を必要とし、周辺電子回路や装置が大型化してしまい、光スイッチ装置全体の小型化には限界がある。
【手続補正２】
【補正対象書類名】明細書
【補正対象項目名】００２４
【補正方法】変更
【補正の内容】
【００２４】
図４は、図３に示した磁石から発生している磁力線の様子を説明するための図で、理解を容易にするために、光導波路１０１側への磁力線のみを示したものである。磁力線は、磁石１０２から遠ざかるほど疎となり磁力は弱くなるから、図３におけるＭＥＭＳ収容域９３を磁石９５になるべく近づけるように実装して、効率的に磁石の効果を発揮させて挿入板を駆動させることが望ましい。
【手続補正３】
【補正対象書類名】明細書
【補正対象項目名】００３５
【補正方法】変更
【補正の内容】
【００３５】
この磁石１８は、矩形の４隅（ａ，ｂ，ｃ，ｄ）を切欠いた８角形の形状を有し、光導波路１２上への垂直方向からの投影像が光導波路１２の領域内に収まる大きさと形状とを有している。これにより、領域２（１４）全域の磁場強度が均一となるとともに、光導波路１２の全体の面積も従来の光導波路に比較して小さくすることが可能となる。
【手続補正４】
【補正対象書類名】明細書
【補正対象項目名】００５４
【補正方法】変更
【補正の内容】
【００５４】
また、図１１には、支持基板６２とファイバとを直接的に接合した構成が描かれているが、このような構成に限らず、接続端面を補強する目的で導波路端面に設けた補強板などからなるジョイントを介して支持基板６２とファイバとを接続した構成としてもよい。
【手続補正５】
【補正対象書類名】図面
【補正対象項目名】図７
【補正方法】変更
【補正の内容】
【図７】
2004004649.tif 000001
【手続補正６】
【補正対象書類名】図面
【補正対象項目名】図１２
【補正方法】変更
【補正の内容】
【図１２】
2004004649.tif 000002
【手続補正書】
【提出日】平成16年3月25日(2004.3.25)
【手続補正１】
【補正対象書類名】明細書
【補正対象項目名】００３５
【補正方法】変更
【補正の内容】
【００３５】
微細凹凸５の形状は、例えば図３に示す略円錐状の場合、高低差１０μｍ程度、最大直径５０μｍ程度とし、隙間無く密に配置することが望ましい。この場合において、最も効率よく効果を得ることができる。更に、このような微細凹凸５を形成したフレネルレンズシート２は、光沢度（Gs６０°）が３５％以下、ヘイズ値が３３％以下となるように、微細凹凸の形状、或いは配置を調整することが望ましく、本出願人による試験から、この数値程度において高解像度で且つゴーストが殆ど視認されないことが確認されている。表１に、本出願人による試験結果を示す。
表１  各種拡散板の曇価（Haze）とボケ量の主観評価
2004004668.tif 000001
【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
（Ａ）アルカリ可溶性樹脂、
（Ｂ）活性放射線の照射により酸を発生する化合物、及び、
（Ｃ）酸触媒により炭素−炭素結合を生成する架橋剤を含有するネガ型レジスト組成物において、該アルカリ可溶性樹脂がデンドリマーであることを特徴とするネガ型レジスト組成物。
【請求項２】
該アルカリ可溶性樹脂が、繰り返し単位が共有結合によってのみ結合しているデンドリマーであることを特徴とする請求項１に記載のネガ型レジスト組成物。
【請求項３】
該アルカリ可溶性樹脂が、ジフェニルメタン骨格を有さないデンドリマーであることを特徴とする請求項１又は２に記載のネガ型レジスト組成物。
【請求項４】
該アルカリ可溶性樹脂が、エチレンイミンよりも塩基性が低い構造のみからなるデンドリマーであることを特徴とする請求項１〜３のいずれかに記載のネガ型レジスト組成物。
【請求項５】
該アルカリ可溶性樹脂が、下記一般式（１）で表わされる構造単位を含み、重量平均分子量が３００，０００以下であるデンドリマーであることを特徴とする請求項１〜４のいずれかに記載のネガ型レジスト組成物。
【化１】
2004004249.tif 000001
式中、Ｒ1及びＲ1'は、各々独立に、水素原子、ハロゲン原子、シアノ基、アルキル基又はハロアルキル基を表す。Ｒ2は、水素原子、アルキル基、シクロアルキル基、アリール基、アラルキル基又はアシル基を表す。Ｒ3及びＲ4は、同じでも異なっていても良く、水素原子、ハロゲン原子、シアノ基、アルキル基、シクロアルキル基、アルケニル基、アラルキル基、又はアリール基を表す。
Ａは、単結合、アルキレン基、アルケニレン基、シクロアルキレン基、アリーレン基、−Ｏ−、−ＳＯ2−、−Ｏ−ＣＯ−Ｒ5−、−ＣＯ−Ｏ−Ｒ6−、又は−ＣＯ−Ｎ（Ｒ7）−Ｒ8−を表す。
Ｒ5、Ｒ6、Ｒ8は、同じでも異なっていても良く、単結合、アルキレン基、アルケニレン基、シクロアルキレン基、もしくはアリーレン基の単独又はこれらの基の少なくとも２つの組み合わせ、又はこれらの基とエーテル構造、エステル構造、アミド構造、ウレタン構造もしくはウレイド構造の群より選択される少なくとも１種が一緒になって形成した２価の基を表す。
Ｒ7は、水素原子、アルキル基、シクロアルキル基、アラルキル基、又はアリール基を表す。
ｍは２又は３、ｎは０又は１、但しｍ＋ｎ≦３であり、Ｘは−ＣＨ2−、−Ｏ−、又は−Ｓ−を示す。また複数のＲ2、又はＲ2とＲ3もしくはＲ4が結合して環を形成しても良い。
【請求項６】
請求項１〜５のいずれに記載の組成物によりレジスト膜を形成し、当該レジスト膜を露光、現像することを特徴とするパターン形成方法。
【手続補正書】
【提出日】平成17年4月14日(2005.4.14)
【手続補正１】
【補正対象書類名】明細書
【補正対象項目名】特許請求の範囲
【補正方法】変更
【補正の内容】
【特許請求の範囲】
【請求項１】
（Ａ）下記一般式（Ｉ）で表される繰り返し単位を有する、酸の作用によりアルカリ現像液への溶解性が増大する樹脂、及び、
（Ｂ）活性光線又は放射線の照射により酸を発生する化合物
を含有することを特徴とするポジ型レジスト組成物。
【化１】
2004004226.tif 000001
一般式（Ｉ）中、
Ｒａ、Ｒｂ及びＲｃは、各々独立に、水素原子、フッ素原子又はフルオロアルキル基を表す。
Ｌ1は、単結合又は２価の連結基を表す。
Ｘは、水素原子又は酸の作用により分解する基を表す。
ｎは、０又は１を表す。
Ｑは、水素原子又は水酸基を表す。
【請求項２】
（Ａ）成分の樹脂が、更に下記一般式（ＩＩ）〜（ＩＶ）で表される繰り返し単位の群から選ばれる繰り返し単位の少なくとも１種を含有することを特徴とする請求項１に記載のポジ型レジスト組成物。
【化２】
2004004226.tif 000002
一般式（ＩＩ）中、
Ｒ11〜Ｒ16は、各々独立に、水素原子、フッ素原子又はフルオロアルキル基を表す。但し、Ｒ11〜Ｒ16の少なくとも一つは水素原子ではない。
Ｘ1は、水素原子又は酸の作用により分解する基を表す。
ｍは、０又は１を表す。
【化３】
2004004226.tif 000003
一般式（ＩＩＩ）中、
Ｒ3aは、水素原子又は酸の作用により分解する基を表す。
ｍは、０又は１を表す。
【化４】
2004004226.tif 000004
一般式（ＩＶ）中、
Ｒ1は、水素原子、フッ素原子、塩素原子、臭素原子、シアノ基又はトリフルオロメチル基を表す。
Ｒ41〜Ｒ46は、各々独立に、水素原子、フッ素原子又はフルオロアルキル基を表す。但し、Ｒ41〜Ｒ46はの少なくとも一つは水素原子ではない。
Ｘ2は、水素原子又は酸の作用により分解する基を表す。
ｎは、１〜５の整数を示す。ｎが２以上である場合に、２つ以上あるＲ41〜Ｒ46及びＸ2は、同じでも異なっていてもよい。
【請求項３】
一般式（Ｉ）中のＲｃが、フッ素原子又はトリフルオロメチル基であることを特徴とする請求項１又は２に記載のポジ型レジスト組成物。
【請求項４】
請求項１〜３のいずれかに記載のレジスト組成物によりレジスト膜を形成し、当該レジスト膜を露光、現像することを特徴とするパターン形成方法。
【手続補正書】
【提出日】平成17年4月12日(2005.4.12)
【手続補正１】
【補正対象書類名】明細書
【補正対象項目名】発明の名称
【補正方法】変更
【補正の内容】
【発明の名称】写真撮影装置および写真自動販売機
【手続補正２】
【補正対象書類名】明細書
【補正対象項目名】特許請求の範囲
【補正方法】変更
【補正の内容】
【特許請求の範囲】
【請求項１】
被写体と背景とを撮影する撮影手段を備える写真撮影装置であって、
前記被写体の背後には透明板が備えられ、
前記背景は、前記透明板の背後に設けられたスペースに配備された背景用被写体であって、前記撮影手段は、前記被写体と、前記透明板を介して前記背景用被写体とを撮影する、写真撮影装置。
【請求項２】
前記透明板の背後に、前記背景用被写体を置くための棚が設けられる、請求項１に記載の写真撮影装置。
【請求項３】
前記棚は複数の棚からなり、前記背景用被写体は前記複数の棚の各々に配備される複数の背景用被写体であって、前記撮影手段はユーザの指示に応じて前記複数の背景用被写体のうちから選択して前記背景用被写体として撮影する、請求項２に記載の写真撮影装置。
【請求項４】
前記背景用被写体を照明する照明手段をさらに備え、前記照明手段は、前記ユーザの指示に応じて選択された前記背景用被写体を照明する、請求項３に記載の写真撮影装置。
【請求項５】
前記透明板は、前記透明板に反射した光が撮影手段によって撮影されない構成を備える、請求項１〜４のいずれかに記載の写真撮影装置。
【請求項６】
前記透明板に反射した光が撮影されない構成は、前記透明板に反射した光が前記撮影手段に到達しないような前記透明板の形状である、請求項５に記載の写真撮影装置。
【請求項７】
前記撮影手段によって、前記背景が撮影されないように前記背景を遮断する遮断手段をさらに備える、請求項１〜６のいずれかに記載の写真撮影装置。
【請求項８】
請求項１〜７のいずれかに記載の写真撮影装置と、
前記写真撮影装置で撮影された写真を印刷する印刷手段とを備える、写真自動販売機。
【手続補正３】
【補正対象書類名】明細書
【補正対象項目名】０００７
【補正方法】変更
【補正の内容】
【０００７】
本発明はこのような問題に鑑みてなされたものであり、オリジナリティーの高い背景であって、美しい写真を提供することのできる写真撮影装置および写真自動販売機を提供することを目的とする。
【手続補正４】
【補正対象書類名】明細書
【補正対象項目名】０００８
【補正方法】変更
【補正の内容】
【０００８】
【課題を解決するための手段】
上記目的を達成するために、本発明のある局面に従うと、写真撮影装置は、被写体と背景とを撮影する撮影手段を備える写真撮影装置であって、被写体の背後には透明板が備えられ、前記背景は、透明板の背後に設けられたスペースに配備された背景用被写体であって、前記撮影手段は、被写体と、透明板を介して背景用被写体とを撮影する。
また、上記透明板の背後に、背景用被写体を置くための棚が設けられることが望ましい。
【手続補正５】
【補正対象書類名】明細書
【補正対象項目名】０００９
【補正方法】変更
【補正の内容】
【０００９】
また、上述の棚は複数の棚からなり、背景用被写体は複数の棚の各々に配備される複数の背景用被写体であって、撮影手段はユーザの指示に応じて複数の背景用被写体のうちから選択して背景用被写体として撮影することが望ましい。
【手続補正６】
【補正対象書類名】明細書
【補正対象項目名】００１１
【補正方法】変更
【補正の内容】
【００１１】
また、上述の透明板は、透明板に反射した光が撮影手段によって撮影されない構成を備えることが望ましい。
【手続補正７】
【補正対象書類名】明細書
【補正対象項目名】００１２
【補正方法】変更
【補正の内容】
【００１２】
さらに、上述の透明板に反射した光が撮影されない構成は、透明板に反射した光が撮影手段に到達しないような透明板の形状であることが望ましい。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
本発明のさらに他の局面に従うと、写真自動販売機は、上述の写真撮影装置と、写真撮影装置で撮影された写真を印刷する印刷手段とを備える。
【手続補正１３】
【補正対象書類名】明細書
【補正対象項目名】００１９
【補正方法】削除
【補正の内容】
【手続補正書】
【提出日】平成17年5月25日(2005.5.25)
【手続補正１】
【補正対象書類名】明細書
【補正対象項目名】０００６
【補正方法】変更
【補正の内容】
【０００６】
レンズ枠２０，３０は、それぞれ略環体を呈していて環体の内周側にそれぞれレンズが保持され、これらのレンズが光軸Ｏに沿って前後に移動することで所望の結像を得ることに寄与する。
【手続補正２】
【補正対象書類名】明細書
【補正対象項目名】００４０
【補正方法】変更
【補正の内容】
【００４０】
また、筒部材の例としてガイド筒１０を例に説明するが、後述する網目状表面部の設置は、カム筒などの他の筒部材にも適用することができる。また、この実施の形態では、カム筒やレンズ枠等のレンズ鏡筒を構成する部材であってガイド筒１０以外の部材については、説明を省略または簡略化する。これは、これらの構成は、図８に示す従来のレンズ鏡筒１００中のレンズ枠２０，３０やカム筒５０と略同様な構成となっているためである。
【手続補正３】
【補正対象書類名】明細書
【補正対象項目名】００５９
【補正方法】変更
【補正の内容】
【００５９】
このガイド筒１０Ｂは、ガイド溝３，４の大きさが同じであるため、カム筒に形成されるカム溝が同じとされるものに適用されると好ましい。カム溝をたとえば斜め方向に切られた直線状の同一のカム溝とすると、必要とされるガイド溝は、このガイド溝３，４のように同じ大きさとなる。カム溝が単純形状のときは、カム筒を金属製にしてもその製作は容易となる。よって、このガイド筒１０Ｂは、金属製のカム筒と組み合わせて使用するのが好ましい。
【手続補正書】
【提出日】平成17年4月6日(2005.4.6)
【手続補正１】
【補正対象書類名】明細書
【補正対象項目名】発明の名称
【補正方法】変更
【補正の内容】
【発明の名称】地図表示システム及びその施設内物件表示方法
【手続補正２】
【補正対象書類名】明細書
【補正対象項目名】特許請求の範囲
【補正方法】変更
【補正の内容】
【特許請求の範囲】
【請求項１】
表示装置に表示した地図で特定の施設を選択すると、前記特定の施設内の複数の物件のジャンルを表示することを特徴とする地図表示システムの施設内物件表示方法。
【請求項２】
前記複数の物件のうちの所望の物件を選択すると、当該物件の詳細情報を前記表示装置に表示することを特徴とする請求項１に記載の地図表示システムの施設内物件表示方法。
【請求項３】
前記特定の施設及び前記所望の物件を音声入力により選択可能なことを特徴とする請求項１又は２に記載の地図表示システムの施設内物件表示方法。
【請求項４】
車載用ナビゲーション装置により実現されることを特徴とする請求項１乃至３のいずれか１項に記載の地図表示システムの施設内物件表示方法。
【請求項５】
表示部と、
地図データを記憶する地図データ記憶部と、
ジャンル毎に分類された複数の物件のデータを記憶する物件データ記憶部と、
前記地図データ記憶部に記憶された地図データに基づいて地図画像を生成し前記表示部に表示する制御部とを有し、
前記制御部は、前記表示部に表示した地図で特定の施設が選択されると、前記物件データ記憶部に記憶された物件のデータを使用して前記特定の施設内の複数の物件のジャンルを前記表示部に表示することを特徴とする地図表示システム。
【請求項６】
前記制御部は、前記複数の物件のうちの１物件が選択されると、前記物件データ記憶部に記憶された物件のデータを使用して当該物件の詳細情報を前記表示部に表示することを特徴とする請求項５に記載の地図表示システム。
【手続補正３】
【補正対象書類名】明細書
【補正対象項目名】０００１
【補正方法】変更
【補正の内容】
【０００１】
【発明の属する技術分野】
本発明は、車載用ナビゲーション装置等のように地図データ及び物件データを使用して市街地地図に表示されたビル等の施設の中に入っている物件の情報を表示装置に表示する地図表示システム及びその施設内物件表示方法に関する。
【手続補正４】
【補正対象書類名】明細書
【補正対象項目名】００１０
【補正方法】変更
【補正の内容】
【００１０】
以上から、本発明の目的は、施設に入っている個々の物件のジャンルが一目で分かる地図表示システム及びその施設内物件表示方法を提供することである。
【手続補正５】
【補正対象書類名】明細書
【補正対象項目名】００１１
【補正方法】変更
【補正の内容】
【００１１】
【課題を解決するための手段】
上記した課題は、表示装置に表示した地図で特定の施設を選択すると、前記特定の施設内の複数の物件のジャンルを表示することを特徴とする地図表示システムの施設内物件表示方法により解決する。
また、上記した課題は、表示部と、地図データを記憶する地図データ記憶部と、ジャンル毎に分類された複数の物件のデータを記憶する物件データ記憶部と、前記地図データ記憶部に記憶された地図データに基づいて地図画像を生成し前記表示部に表示する制御部とを有し、前記制御部は、前記表示部に表示した地図で特定の施設が選択されると、前記物件データ記憶部に記憶された物件のデータを使用して前記特定の施設内の複数の物件のジャンルを前記表示部に表示することを特徴とする地図表示システムにより解決する。